(57)【要約】【課題】  トナー回収容器の取外規制を解除する操作性を向上でき、取外規制する部材の破損の危険性を低減できる画像形成装置を提供することにある。【解決手段】  装置本体に形成される収納空間と、廃トナーを排出するトナー排出口と、収納空間の回収位置に配置されるトナー回収容器と、トナー回収容器を前記回収位置から取外すことを規制する規制手段を含んでなり、トナー回収容器は、回収位置においてトナー排出口に接続される画像形成装置において、規制手段は、回収位置において、トナー回収容器から装置本体の開口側へ延設される弾性梁部材と、弾性梁部材に形成されるロック爪と、トナー回収容器を回収位置から取外すことを規制する係止爪と、弾性梁部材に形成され、前記回収位置に向けて傾斜される傾斜面部を備え、傾斜面部を回収位置に向けて押すことで、トナー回収容器の取外規制を解除することを特徴とする画像形成装置である。【選択図】  図１
2011257567.tif 000002
【特許請求の範囲】
【請求項１】
装置本体に形成される収納空間と、前記装置本体に形成され、廃トナーを排出するトナー排出口と、前記装置本体の開口から挿入され、前記収納空間の回収位置に配置されるトナー回収容器と、前記トナー回収容器を前記回収位置から取外すことを規制する規制手段を含んでなり、
前記トナー回収容器は、前記回収位置において前記トナー排出口に接続される画像形成装置において、
前記規制手段は、
前記トナー回収容器に設けられ、前記回収位置において、前記トナー回収容器から前記装置本体の開口側へ延設される弾性梁部材と、
前記弾性梁部材に形成されるロック爪と、
前記ロック爪に係止され、前記トナー回収容器を前記回収位置から取外すことを規制する係止爪と、
前記弾性梁部材に形成され、前記回収位置に向けて傾斜される傾斜面部を備えてなり、
前記傾斜面部を前記回収位置に向けて押すことで、前記ロック爪を前記係止爪から離間する方向に回転させて、前記トナー回収容器の取外規制を解除することを特徴とする画像形成装置。
【請求項２】
前記トナー回収容器の取外規制を解除する規制解除手段を備え、
前記規制解除手段は、
前記装置本体の開口から前記回収位置に向けて移動される押付部材を有し、
前記押付部材を前記回収位置側へ移動して、前記傾斜面部を押すことで、前記ロック爪を前記係止爪から離間する方向に回転させることを特徴とする請求項１に記載の画像形成装置。
【請求項３】
前記装置本体は、前記開口を開閉する扉体を有し、
前記規制解除手段は、前記押付部材を前記装置本体外側へ付勢する付勢部材を有しており、
前記押付部材は、
前記扉体の開き動作に伴って、前記付勢部材の付勢力によって前記装置本体外側に移動されるとともに、
前記扉体の閉じ動作に伴って、前記付勢部材の付勢力に抗して前記回収位置側に移動されることを特徴とする請求項１又は２に記載の画像形成装置。
【請求項４】
前記トナー排出口を開閉自在にする開閉手段を備え、
前記開閉手段は、
前記トナー排出口を開閉するため移動される開閉部材と、
前記開閉部材を前記トナー排出口側へ付勢する開閉付勢部材を有してなり、
前記開閉部材は、
前記トナー回収容器の前記開口への挿入に伴って、前記開閉付勢部材の付勢力に抗して移動され、前記トナー排出口を開状態にすることを特徴とする請求項１乃至３の何れかに記載の画像形成装置。
【請求項５】
前記回収位置において、前記トナー回収容器を前記開口側へ付勢する容器付勢手段を備え、
前記トナー回収容器は、
前記トナー回収容器の取外規制の解除に伴って、前記容器付勢手段の付勢力によって前記装置本体外側へ移動されることを特徴とする請求項１乃至４の何れかに記載の画像形成装置。
【請求項６】
前記押付部材は、
前記弾性梁部材の前記傾斜面部に干渉して、前記トナー回収容器が前記装置本体内から飛出すことを防止する飛出規制部を有していることを特徴とする請求項１乃至５の何れかに記載の画像形成装置。
【請求項７】
前記トナー回収容器は、取外用の取手部を有してなり、
前記取手部は、
前記トナー回収容器が前記装置本体の開口から装置本体外側に所定量移動されると、前記装置本体外側に現れることを特徴とする請求項１乃至６の何れかに記載の画像形成装置。
【発明の詳細な説明】
【技術分野】
【０００１】
本発明は、電子写真方式の複写機、プリンタ、ファクシミリやこれらの機能を併せ持たせた複合機等の画像形成装置において、特に、感光体ドラムから回収された廃トナーを収容するトナー回収容器を備える画像形成装置に関するものである。
【背景技術】
【０００２】
一般に、電子写真方式の複写機、プリンタ、ファクシミリ等の画像形成装置では、感光体ドラムの表面にトナー像を形成し、このトナー像を記録用紙に転写する。転写後の感光体ドラムの表面には、未転写トナーが残留する。未転写トナーは、感光体ドラムの表面から除去され、装置本体の排出口まで搬送される。この未転写トナー（廃トナー）は、排出口からトナー回収容器に収容される。
トナー回収容器は、装置本体に挿入され、排出口に接続される。トナー回収容器は廃トナーで満たされると、空のトナー回収容器と交換される。
トナー回収容器を交換する際、排出口から廃トナーが漏れ出ると、作業者の手等を汚すことになる。
【０００３】
トナーの漏れ出しを防止する技術として、特許文献１に開示する技術は、トナー回収装置、及びトナー回収容器を備えている。トナー回収装置は、ノズル内に配置されるスクリューコンベアを有し、このスクリューコンベアの駆動によって、ノズルのトナー排出口に廃トナーを搬送する。
【０００４】
このトナー回収装置は、ノズルのトナー排出口を開閉する開閉スライド部材を有し、この開閉スライド部材によってトナー排出口を開閉する。
トナー回収容器は、受入口を有するキャップ、及びキャップに装着されるリップを備えている、トナー回収容器の受入口をノズル外周に嵌込むことで、画像形成装置に配置される。そして、トナー回収容器をトナー回収装置側に押込んで、開閉スライド部材をコイルバネのバネ力に抗して移動させることで、ノズルのトナー排出口を開状態にする。これにより、トナー回収容器の受入口は、トナー排出口に連通され、スクリューコンベアの駆動によって搬送される廃トナーをトナー回収容器内に収容する。
【０００５】
トナー回収容器をノズルから取外すことで、開閉スライド部材をコイルバネのバネ力によってトナー排出口を閉状態にする。これにより、トナー回収容器を取外して、空のトナー回収容器と交換するとき、トナー排出口から廃トナーが漏れ出すことを防止している。
【０００６】
また、特許文献１は、トナー回収装置のノズルに突起を形成し、トナー回収容器をノズル外周に嵌込んで画像形成装置に配置するとき、トナー回収容器のリップがノズルの突起を乗り越えることで、トナー回収容器の取外を規制している。また、トナー回収容器を、トナー回収装置から取外すとき、リップがノズルの突起を乗り越えることで、取外規制を解除する。
【０００７】
しかしながら、特許文献１では、トナー回収容器の取付又は取外の動作に伴って、トナー回収容器のリップがノズルの突起を乗り越えることで、トナー回収容器の取外規制又は規制解除をしている。
従って、トナー回収容器を無理やり取外すと、リップ及び突起が破損する危険性がある。
【先行技術文献】
【特許文献】
【０００８】
【特許文献１】特開２００５−２５０５３号公報
【発明の概要】
【発明が解決しようとする課題】
【０００９】
本発明が解決しようとする課題は、上記の問題に鑑み、トナー回収容器の取外規制を解除する操作性を向上でき、取外規制する部材の破損の危険性を低減できる画像形成装置を提供することにある。
【課題を解決するための手段】
【００１０】
請求項１に係る発明は、装置本体に形成される収納空間と、前記装置本体に形成され、廃トナーを排出するトナー排出口と、前記装置本体の開口から挿入され、前記収納空間の回収位置に配置されるトナー回収容器と、前記トナー回収容器を前記回収位置から取外すことを規制する規制手段を含んでなり、前記トナー回収容器は、前記回収位置において前記トナー排出口に接続される画像形成装置において、前記規制手段は、前記トナー回収容器に設けられ、前記回収位置において、前記トナー回収容器から前記装置本体の開口側へ延設される弾性梁部材と、前記弾性梁部材に形成されるロック爪と、前記ロック爪に係止され、前記トナー回収容器を前記回収位置から取外すことを規制する係止爪と、前記弾性梁部材に形成され、前記回収位置に向けて傾斜される傾斜面部を備えてなり、前記傾斜面部を前記回収位置に向けて押すことで、前記ロック爪を前記係止爪から離間する方向に回転させて、前記トナー回収容器の取外規制を解除することを特徴とする画像形成装置に関する。
【００１１】
請求項２に係る発明は、前記トナー回収容器の取外規制を解除する規制解除手段を備え、前記規制解除手段は、前記装置本体の開口から前記回収位置に向けて移動される押付部材を有し、前記押付部材を前記回収位置側へ移動して、前記傾斜面部を押すことで、前記ロック爪を前記係止爪から離間する方向に回転させることを特徴とする請求項１に記載の画像形成装置に関する。
【００１２】
請求項３に係る発明は、前記装置本体は、前記開口を開閉する扉体を有し、前記規制解除手段は、前記押付部材を前記装置本体外側へ付勢する付勢部材を有しており、前記押付部材は、前記扉体の開き動作に伴って、前記付勢部材の付勢力によって前記装置本体外側に移動されるとともに、前記扉体の閉じ動作に伴って、前記付勢部材の付勢力に抗して前記回収位置側に移動されることを特徴とする請求項１又は２に記載の画像形成装置に関する。
【００１３】
請求項４に係る発明は、前記トナー排出口を開閉自在にする開閉手段を備え、前記開閉手段は、前記トナー排出口を開閉するため移動される開閉部材と、前記開閉部材を前記トナー排出口側へ付勢する開閉付勢部材を有しなり、前記開閉部材は、前記トナー回収容器の前記開口への挿入に伴って、前記開閉付勢部材の付勢力に抗して移動され、前記トナー排出口を開状態にすることを特徴とする請求項１乃至３の何れかに記載の画像形成装置に関する。
【００１４】
請求項５に係る発明は、前記回収位置において、前記トナー回収容器を前記開口側へ付勢する容器付勢手段を備え、前記トナー回収容器は、前記トナー回収容器の取外規制の解除に伴って、前記容器付勢手段の付勢力によって前記装置本体外側へ移動されることを特徴とする請求項１乃至４の何れかに記載の画像形成装置に関する。
【００１５】
請求項６に係る発明は、前記押付部材は、前記弾性梁部材の前記傾斜面部に干渉して、前記トナー回収容器が前記装置本体内から飛出すことを防止する飛出規制部を有していることを特徴とする請求項１乃至５の何れかに記載の画像形成装置に関する。
【００１６】
請求項７に係る発明は、前記トナー回収容器は、取外用の取手部を有してなり、前記取手部は、前記トナー回収容器が前記装置本体の開口から装置本体外側に所定量移動されると、前記装置本体外側に現れることを特徴とする請求項１乃至６の何れかに記載の画像形成装置に関する。
【発明の効果】
【００１７】
請求項１に係る発明によれば、装置本体に形成される収納空間と、前記装置本体に形成され、廃トナーを排出するトナー排出口と、前記装置本体の開口から挿入され、前記収納空間の回収位置に配置されるトナー回収容器と、前記トナー回収容器を前記回収位置から取外すことを規制する規制手段を含んでなり、前記トナー回収容器は、前記回収位置において前記トナー排出口に接続される画像形成装置において、前記規制手段は、前記トナー回収容器に設けられ、前記回収位置において、前記トナー回収容器から前記装置本体の開口側へ延設される弾性梁部材と、前記弾性梁部材に形成されるロック爪と、前記ロック爪に係止され、前記トナー回収容器を前記回収位置から取外すことを規制する係止爪と、前記弾性梁部材に形成され、前記回収位置に向けて傾斜される傾斜面部を備えてなり、前記傾斜面部を前記回収位置に向けて押すことで、前記ロック爪を前記係止から離間する方向に回転させて、前記トナー回収容器の取外規制を解除するので、弾性梁部材の傾斜面部を押すことで、ロック爪を係止爪から離間する方向に回転して、トナー回収容器の取外規制を解除できる。
従って、トナー回収容器の取外動作と関係なく、取外規制を解除できるので、破損の危険性を低減できる。また、作業者は、傾斜面部を押すという簡単な操作によって、トナー回収容器の取外規制を解除できる。
【００１８】
請求項２に係る発明によれば、前記トナー回収容器の取外規制を解除する規制解除手段を備え、前記規制解除手段は、前記装置本体の開口から前記回収位置に向けて移動される押付部材を有し、前記押付部材を前記回収位置側へ移動して、前記傾斜面部を押すことで、前記ロック爪を前記係止爪から離間する方向に回転させるので、作業者は、押付部材を回収位置側へ移動するだけで、トナー回収容器の取外規制を解除できる。
【００１９】
請求項３に係る発明によれば、前記装置本体は、前記開口を開閉する扉体を有し、前記規制解除手段は、前記押付部材を前記装置本体外側へ付勢する付勢部材を有しており、前記押付部材は、前記扉体の開き動作に伴って、前記付勢部材の付勢力によって前記装置本体外側に移動されるとともに、前記扉体の閉じ動作に伴って、前記付勢部材の付勢力に抗して前記回収位置側に移動されるので、扉体を開き動作するだけで、押付部材が装置本体外側に移動されるので、作業者は押付部材を認識でき、トナー回収容器を無理やり取外すことを防止できる。
また、扉体を閉じ動作するだけで、押付部材を収納空間に収納できる。
【００２０】
請求項４に係る発明によれば、前記トナー排出口を開閉自在にする開閉手段を備え、前記開閉手段は、前記トナー排出口を開閉するため移動される開閉部材と、前記開閉部材を前記トナー排出口側へ付勢する開閉付勢部材を有してなり、前記開閉部材は、前記トナー回収容器の前記開口への挿入に伴って、前記開閉付勢部材の付勢力に抗して移動され、前記トナー排出口を開状態にするので、トナー回収容器の挿入に伴って、開閉部材によってトナー排出口を開状態にできるので、トナー排出口からトナーが漏れ出すことを防止できる。
また、トナー回収容器を取外動作に伴って、開閉部材を開閉付勢部材の付勢力によって移動させて、トナー排出口を閉状態にできる。従って、トナー排出口からトナーが漏れ出すことを防止できる。
【００２１】
請求項５に係る発明によれば、前記回収位置において、前記トナー回収容器を前記開口側へ付勢する容器付勢手段を備え、前記トナー回収容器は、前記トナー回収容器の取外規制の解除に伴って、前記容器付勢手段の付勢力によって前記装置本体外側へ移動されるので、作業者は、装置本体外側に移動されたトナー回収容器を掴むことができ、トナー回収容器の取外を簡単に行うことができる。
【００２２】
請求項６に係る発明によれば、前記押付部材は、前記弾性梁部材の前記傾斜面部に干渉して、前記トナー回収容器が前記装置本体内から飛出すことを防止する飛出規制部を有しているので、トナー回収容器が装置本体から飛出して、収容した廃トナーがトナー回収容器から飛散することを防止できる。
【００２３】
請求項７に係る発明によれば、前記トナー回収容器は、取外用の取手部を有してなり、前記取手部は、前記トナー回収容器が前記装置本体の開口から装置本体外側に所定量移動されると、前記装置本体外側に現れるので、作業者は、装置本体外側にある取手部を掴んで、トナー回収容器の取外しを簡単に行うことができる。
【図面の簡単な説明】
【００２４】
【図１】本発明に係る画像形成装置を示す図であって、扉体を閉じた状態の外観斜視図である。
【図２】本発明に係る画像形成装置を示す図であって、扉体を開いた状態の外観斜視図である。
【図３】図２の扉体を開いた状態を示す拡大斜視図である。
【図４】図２の扉体を開いた状態を示す図であって、取外用の取手部を示す拡大斜視図である。
【図５】規制手段を示す拡大断面図である。
【図６】トナー排出口を開閉する開閉手段を示す図であって、トナー排出口を開状態にしている拡大断面図である。
【図７】トナー排出口を開閉する開閉手段を示す図であって、トナー排出口を閉状態にしている拡大断面図である。
【図８】トナー排出口を開閉する開閉手段を示す図であって、トナー排出口を開状態にしている拡大斜視図である。
【図９】トナー排出口を開閉する開閉手段を示す図であって、トナー排出口を閉状態にしている拡大斜視図である。
【図１０】開閉手段の開閉スライド部材を示す拡大斜視図である。
【図１１】開閉手段の開閉スライド部材を示す拡大斜視図である。
【図１２】装置本体の扉体を閉状態にして、トナー回収容器及び押付部材を収納空間内に収納した状態を示す上面図である。
【図１３】図１２の拡大上面図である。
【図１４】装置本体の扉体を開状態にした上面図である。
【図１５】装置本体の扉体を開状態にして、押付部材が装置本体外側に移動した状態を示す上面図である。
【図１６】押付部材を装置本体の収納空間内に移動させた状態を示す上面図である。
【図１７】押付部材によって、トナー回収容器の取外規制を解除している状態を示す拡大上面図である。
【図１８】押付部材によって、トナー回収容器の飛出を規制している状態を示す上面図である。
【図１９】押付部材によって、トナー回収容器の飛出を規制している状態を示す拡大上面図である。
【発明を実施するための形態】
【００２５】
本発明に係る画像形成装置について、図１乃至図１９を参照して説明する。
図１は本発明に係る画像形成装置を示す図であって、扉体を閉じた状態の外観斜視図である。図２は本発明に係る画像形成装置を示す図であって、扉体を開いた状態の外観斜視図である。図３は図２の扉体を開いた状態を示す拡大斜視図である。図４は図２の扉体を開いた状態を示す図であって、取外用の取手部を示す拡大斜視図である。図５は規制手段を示す拡大断面図である。図６はトナー排出口を開閉する開閉手段を示す図であって、トナー排出口を開状態にしている拡大断面図である。図７はトナー排出口を開閉する開閉手段を示す図であって、トナー排出口を閉状態にしている拡大断面図である。図８はトナー排出口を開閉する開閉手段を示す図であって、トナー排出口を開状態にしている拡大斜視図である。図９はトナー排出口を開閉する開閉手段を示す図であって、トナー排出口を閉状態にしている拡大斜視図である。図１０は開閉手段の開閉スライド部材を示す拡大斜視図である。図１１は開閉手段の開閉スライド部材を示す拡大斜視図である。図１２は装置本体の扉体を閉状態にして、トナー回収容器及び押付部材を収納空間内に収納した状態を示す上面図である。図１３は図１２の拡大上面図である。図１４は装置本体の扉体を開状態にした上面図である。図１５は装置本体の扉体を開状態にして、押付部材が装置本体外側に移動した状態を示す上面図である。図１６は押付部材を装置本体の収納空間内に移動させた状態を示す上面図である。図１７は押付部材によって、トナー回収容器の取外規制を解除している状態を示す拡大上面図である。図１８は押付部材によって、トナー回収容器の飛出を規制している状態を示す上面図である。図１９は押付部材によって、トナー回収容器の飛出を規制している状態を示す拡大上面図である。
【００２６】
図１及び図２において、画像形成装置（１）は、装置本体（２）を備えている。この装置本体（２）は、複数の操作ボタン（３）及び表示パネル（５）を有し、作業者（ユーザ）が各操作ボタン（３）を操作することで、所望の印刷要求を入力する。表示パネル（５）には、印刷情報や紙詰り情報等が表示される。この装置本体（２）は、給紙カセット（６）から記録用紙をピックアップして画像形成部（図示しない）に搬送する。画像形成部は、感光体ドラム（図示しない）の表面にトナー像を形成し、給紙カセット（６）から搬送される記録用紙にトナー像を転写する。転写後の記録用紙は、加熱、加圧によりトナー像が用紙に定着されて、装置本体（２）の排出トレイ（７）に排紙される。
【００２７】
また、装置本体（２）は、図２乃至図５、及び図１２に示すように、幅方向（Ｈ）の一端（２Ａ）側の下方に収納空間（Ｇ）が形成されている。この収納空間（Ｇ）は、図１３及び図１４に示すように、装置本体（２）の前方側に開口されており、前後方向（Ｆ）に所定長を有して延設されている。
装置本体（２）は、収納空間（Ｇ）の開口（装置本体（２）の開口）を開閉する扉体（８）を有している。
【００２８】
画像形成装置（１）は、感光体ドラム（図示しない）表面に残留する未転写トナーを除去するクリーニング装置（図示しない）を有し、除去されたトナー（以下、廃トナーと称する）は、図５及び図６に示すように、回収装置（１５）のスクリューコンベア（１６）によってトナー排出口（１７）まで搬送される。
トナー排出口（１７）は、図６、図７及び図１１に示すように、装置本体（２）のガイド部材（１８）に形成されて、収納空間（Ｇ）内に開口している。
【００２９】
画像形成装置（１）は、図６乃至図９に示すように、トナー排出口（１７）を開閉する開閉手段（Ａ）を備えている。この開閉手段（Ａ）は、開閉スライド部材（１９）及びコイルバネ（２０：開閉付勢部材）を有している。
開閉スライド部材（１９）は、図１０及び図１１に示すように、幅方向（Ｈ）の両端側にガイド溝（２１）、（２１）が形成されており、各ガイド溝（２１）、（２１）間に開閉板部（２２）を有している。また、開閉板部（２２）の下方には、バネ収納部（２３）が形成されている。コイルバネ（２０）は、図６、図７及び図９に示すように、開閉スライド部材（１９）のバネ収納部（２３）内に収納されている。
【００３０】
上記構成の開閉スライド部材（１９）は、コイルバネ（２０）側から収納空間（Ｇ）内に挿入される。この開閉スライド部材（２０）は、各ガイド溝（２１）、（２１）内にガイド板部（１８）を嵌め込むことで、スライド移動自在に支持される。また、コイルバネ（２０）は、開閉スライド部材（１９）のバネ収納部（２３）及び装置本体（２）に係止され、開閉スライド部材（１９）をトナー排出口（１７）側に付勢している。これにより、開閉ガイド部材（１９）は、開閉板部（２２）によってトナー排出口（１７）を閉状態にしている。
【００３１】
画像形成装置（１）は、図２乃至図４、及び図１３に示すように、トナー回収容器（２４）及びバネ部材（２５：容器付勢手段）を備えている。トナー回収容器（２４）は、廃トナーを収容する容器本体（２６）を有し、容器本体（２６）の上方側に突出する円筒受部（２７）が一体形成されている。円筒受部（２７）には、容器本体（２６）内に開口するトナー受入口（２８）が形成されている。
また、容器本体（２６）は、図３及び図４に示すように、取外用の取手部（２９）を有し、この取手部（２９）は容器本体（２６）の前方側に形成されている。
バネ部材（２５）は、図１３に示すように、収納空間（Ｇ）内に配置されており、収納空間（Ｇ）の後端側で装置本体（２）に係止されている。
【００３２】
上記構成のトナー回収容器（２４）は、図２乃至図４に示すように、装置本体（２）の扉体（８）を開いた状態で、装置本体（２）の開口から収納空間（Ｇ）に挿入される。
この挿入に伴って、トナー回収容器（２４）は、図１３及び図１４に示すように、収納空間（Ｇ）のバネ部材（２５）に当接される。
続いて、扉体（８）を閉じると、この閉じ動作に伴って、トナー回収容器（２４）は、扉体（８）で押されて収納空間（Ｇ）内に移動される。このとき、トナー回収容器（２４）は、バネ部材（２５）のバネ力に抗して移動される。
そして、扉体（８）を完全に閉じると、トナー回収容器（２４）は、図１２及び図１３に示すように、収納空間（Ｇ）内の回収位置（Ｋ）に配置される。
【００３３】
画像形成装置（１）は、図２乃至図５、図８、図９、図１２及び図１３に示すように、規制手段（５１）及び規制解除手段（５２）を備えている。
【００３４】
＜規制手段（５１）の具体構成＞
規制手段（５１）は、図１２及び図１３に示すように、弾性梁部材（５３）、ロック爪（５４）、傾斜面部（５５）及び係止爪（５６）で構成される。
【００３５】
弾性梁部材（５３）は、樹脂等によって弾性変形自在に形成され、トナー回収容器（２４）の円筒受部（２７）に設けられている。この弾性梁部材（５３）は、装置本体（２）の一端（２Ａ）側に位置して、円筒受部（２７）に片持ち支持される。また、弾性梁部材（５３）は、トナー回収容器（２４）が回収位置（Ｋ）に配置された状態で、装置本体（２）の開口側（収納空間（Ｇ）の開口側）に直線的に延設されている。
【００３６】
ロック爪（５４）は、弾性梁部材（５３）に一体形成されている。このロック爪（５４）は、装置本体（２）の一端（２Ａ）側に突出している。
【００３７】
傾斜面部（５５）は、弾性梁部材（５３）に一体形成されている。この傾斜面部（５５）は、収納空間（Ｇ）の開口側であって、ロック爪（５４）よりも弾性梁部材（５３）の先端側に形成されている。また、傾斜面部（５５）は、図１２及び図１３に示すように、装置本体（２）の一端（２Ａ）側に突出しつつ、回収位置（Ｋ）側に延びて傾斜する第１傾斜面（５５Ａ）、及び第１傾斜面（５５Ａ）に連続して円筒受部（２７）に向いつつ、回収位置（Ｋ）側に延びて傾斜する第２傾斜面（５５Ｂ）を有している。
【００３８】
係止爪（５６）は、図１２及び図１３に示すように、装置本体（２）に形成されている。この係止爪（５６）は、トナー回収容器（２４）側に突出している。また、係止爪（５６）は、トナー回収容器（２４）が回収位置（Ｋ）に配置された状態で、装置本体（２）の開口側（収納空間（Ｇ）の開口側）からロック爪（５４）に係止される。
【００３９】
上記構成の規制手段（５１）は、図１２及び図１３に示すように、係止爪（５６）をロック爪（５４）に係止することによって、トナー回収容器（２４）を回収位置（Ｋ）から取外すことを規制する。
【００４０】
＜規制解除手段（６１）の具体構成＞
規制解除手段（６１）は、図３乃至図５、図８、図９、図１２及び図１３に示すように、収納空間（Ｇ）に配置されている。また、規制解除手段（６１）は、図１２及び図１３に示すように、規制手段（５１）よりも装置本体（２）の一端（２Ａ）側に位置して、規制手段（５１）に並設されている。
この規制解除手段（６１）は、図８、図９、図１２及び図１３に示すように、押付部材（６２）及びコイルバネ（６３：付勢部材）で構成されている。
押付部材（６２）は、図８、図１２及び図１３に示すように、弾性梁部材（５３）よりも装置本体（２）の一端（２Ａ）側に配置されており、装置本体（２）に移動自在に支持されている。
この押付部材（６２）は、図８、図１２及び図１３に示すように、収納空間（Ｇ）の前後方向（Ｆ）において、弾性梁部材（５３）に並行して相対移動される。
また、押付部材（６２）は、図８、図１２及び図１３に示すように、規制解除部（６４）、及び飛出規制部（６５）が一体形成されている。
規制解除部（６４）は、図８、図１２及び図１３に示すように、トナー回収容器（２４）が回収位置（Ｋ）に配置された状態で、規制手段（５１）の弾性梁部材（５３）側に突出されており、弾性梁部材（５３）の傾斜面部（５５）に当接自在に配置されている。
飛出規制部（６５）は、図１２及び図１３に示すように、規制解除部（６３）より装置本体（２）の開口側で弾性梁部材（５３）側に突出されており、傾斜面部（５５）に当接自在に配置されている。
【００４１】
コイルバネ（６３）は、図５及び図８に示すように、押付部材（６２）及び装置本体（２）の夫々に係止され、押付部材（６２）を装置本体（２）の開口（収納空間（Ｇ）の開口）側に付勢している。
【００４２】
＜トナー回収容器（２４）の取外手順＞
トナー回収容器（２４）の取外手順を、図１乃至図１９を参照して説明する。
なお、説明の便宜上、トナー回収容器（２４）は、図４、図５、図１２及び図１５に示すように、取手部（２９）の反対側から装置本体（２）の開口に挿入されて、収納空間（Ｇ）の回収位置（Ｋ）に配置されている。
【００４３】
トナー回収容器（２４）を回収位置（Ｋ）に配置した状態では、図１、図２及び図１２に示すように、扉体（８）によって装置本体（２）の開口（収納空間（Ｇ）の開口）が閉状態にされており、規制解除手段（６１）の押付部材（６２）は、図１２に示すように、コイルバネ（６３）のバネ力に抗して収納空間（Ｇ）内に収納されている。
また、トナー回収容器（２４）は、図１２及び図１３に示すように、バネ部材（２５）のバネ力に抗して回収位置（Ｋ）に配置され、容器本体（２６）の円筒受部（２７）は、図７及び図９に示す開閉スライド部材（１９）に当接して、この開閉スライド部材（１９）をコイルバネ（２０）のバネ力に抗して装置本体（２）の後方側へ移動させている。これにより、トナー回収容器（２４）のトナー受入口（２８）は、図６及び図８に示すトナー排出口（１７）に連通される。
【００４４】
画像形成装置（１）は、図６に示すように、回収装置（１５）のスクリューコンベア（１６）を駆動することで、感光体ドラム（図示しない）の表面から除去した未転写トナー（廃トナー）をトナー排出口（１７）まで搬送する。廃トナーは、トナー排出口（１７）からトナー受入口（２８）を通して、トナー回収容器（２４）内に収容される。
【００４５】
画像形成装置（１）は、検出手段（図示しない）からの検出信号によって、トナー回収容器（２４）内の廃トナー量を監視しており、トナー回収容器（２４）が廃トナーで満たされると、図１及び図２に示す表示パネル（５）に取換情報を表示する。
【００４６】
作業者は、トナー回収容器（２４）を取換えるため、図１、図２、図１２及び図１４に示す扉体（８）を開いて装置本体（２）の開口（収納空間（Ｇ）の開口）を開状態にする。
この扉体（８）の開き動作に伴って、図１５及び図１６に示すように、規制解除手段（６１）の押付部材（６２）は、図５及び図８に示すように、コイルバネ（６３）のバネ力によって収納空間（Ｇ）の開口側に移動される。これにより、押付部材（６２）は、図３、図４、図１４及び図１５に示すように、収納空間（Ｇ）の開口から装置本体（２）外側に位置される。
【００４７】
作業者は、押付部材（６２）を持って、図５、図１６及び図１７に示すように、押付部材（６２）をコイルバネ（６３）のバネ力に抗して収納空間（Ｇ）の回収位置（Ｋ）側に向けに押込む（移動させる）。この押し込みに伴って、押付部材（６２）の規制解除部（６３）が弾性梁部材（５３）の傾斜面部（５５）に当接される。
押付部材（６２）の規制解除部（６４）は、図１７に示すように、傾斜面部（５５）の第１傾斜面（５５Ａ）に当接され、押付部材（６２）の押込みに伴って、弾性梁部材（５３）は、容器本体（２６）の円筒受部（２７）を支点として回転される。
弾性梁部材（５３）は、図１７に示すように、ロック爪（５４）が係止爪（５６）から離間する方向へ回転され、これにより、トナー回収容器（２４）の取外規制を解除する。
【００４８】
トナー回収容器（２４）の取外規制が解除されると、トナー回収容器（２４）は、図１７及び図１９に示すように、バネ部材（２５）のバネ力によって装置本体（２）の開口側（収納空間（Ｇ）の開口側）に向けて移動される。このトナー回収容器（２４）の移動に伴って、押付部材（６２）の飛出規制部（６５）が傾斜面部（５５）の第１傾斜面（５５Ａ）に干渉（当接）する。これにより、トナー回収容器（２４）は、収納空間（Ｇ）から装置本体（２）外側に飛出すことが防止される。
そして、トナー回収容器（２４）は、図３、図４及び図１９に示すように、装置本体（２）の開口から装置本体（２）外側に所定量移動され、これにより、容器本体（２６）の取手部（２９）が装置本体（２）外側に現れる。
【００４９】
トナー回収容器（２４）が装置本体（２）の開口側（収納空間（Ｇ）の開口側）に移動されると、図６乃至図９に示すように、開閉スライダ部材（１９）は、コイルバネ（２０）のバネ力によって、装置本体（２）の開口側へスライド移動される。開閉スライド部材（１９）は、図７及び図９に示すように、開閉板部（２２）によってトナー排出口（１７）を閉状態にする。
これにより、トナー排出口（１７）は、図７及び図９に示すように、開閉スライド部材（１９）の開閉板部（２２）によってトナー回収容器（２４）のトナー受入口（２８）から遮断されるので、廃トナーが漏れ出すことが防止される。
【００５０】
作業者は、図３及び図４に示すように、装置本体（２）外側に位置する容器本体（２６）の取手部（２９）を掴んで、トナー回収容器（２４）を装置本体（２）の開口側へ移動させる。
このトナー回収容器（２４）の移動に伴って、弾性梁部材（５３）の傾斜面部（５５）は、押付部材（６２）の飛出規制部（６５）を乗り越える。これにより、弾性梁部材（５３）は、弾性力によって円筒受部（２７）を支点として回転して直線的な状態に復帰され、トナー回収容器（２４）を装置本体（２）の開口（収納空間（Ｇ）の開口）から取外す。
【００５１】
＜トナー回収容器（２）の交換手順（取付手順）＞
作業者は、図３及び図４に示すように、空のトナー回収容器（２４）を取手部（２９）の反対側から装置本体（２）の開口（収納空間（Ｇ）の開口）に挿入する。
そして、作業者は、扉体（８）を閉じると、この閉じ動作に伴って、トナー回収容器（２４）は、図１７及び図１９に示すように、バネ部材（２５）のバネ力に抗して回収位置（Ｋ）に向けて押込まれる。
【００５２】
トナー回収容器（２４）の押込み動作に伴って、傾斜面部（５５）の第２傾斜面（５５Ｂ）は、押付部材（６２）の飛出規制部（６５）に当接して、弾性梁部材（５３）は円筒受部（２７）を支点として回転される。これにより、弾性梁部材（５３）の傾斜面部（５５）は、飛出規制部（６５）を乗り越える。
【００５３】
更なるトナー回収容器（２４）の押込みに伴って、傾斜面部（５５）の第２傾斜面（５５Ｂ）は、押付部材（６２）の規制解除部（６４）に当接して、弾性梁部材（５３）は円筒受部（２７）を支点として回転される。これにより、弾性梁部材（５３）の傾斜面部（５５）は、押付部材（６２）の規制解除部（６４）を乗り越える。
【００５４】
続いて、トナー回収容器（２４）の押込みに伴って、弾性梁部材（５３）のロック爪（５４）は、図１７に示すように、係止爪（５６）に当接する。これにより、弾性梁部材（５３）は、円筒受部（２７）を支点として係止爪（５６）から離間する方向に回転され、ロック爪（５４）は係止爪（５６）を乗り越える。ロック爪（５４）が係止爪（５６）を乗り越えると、弾性梁部材（５３）は、図１３に示すように、弾性力によって円筒受部（２７）を支点として、係止爪（５６）側へ回転する。これにより、ロック爪（５４）は、係止爪（５６）に係止されるので、トナー回収容器（２４）は、図１３に示すように、収納空間（Ｇ）の回収位置（Ｋ）に配置され、収納空間（Ｇ）の回収位置（Ｋ）から取外ことが規制される。
【００５５】
また、トナー回収容器（２４）の押込みに伴って、トナー回収容器（２４）の円筒受部（２７）は、図６及び図９に示すように、開閉スライダ部材（１９）に当接し、この開閉スライダ部材（１９）をコイルバネ（２０）のバネ力に抗して装置本体（２）の後方側へ移動させる。
これにより、トナー排出口（１７）は、開状態にされ、トナー回収容器（２４）のトナー受入口（２８）に連通される。
更に、トナー回収容器（２４）の押込みに伴って、押付部材（６２）は、図１３に示すように、コイルバネ（６３）のバネ力に抗して収納空間（Ｇ）内に移動される。
【００５６】
作業者は、扉体（８）を閉じると、トナー回収容器（２４）は、図１２に示すように、収納空間（Ｇ）の回収位置（Ｋ）に配置される。これにより、トナー回収容器（２４）は、回収位置（Ｋ）から取外が規制され、更にトナー受入口（２８）がトナー排出口（１７）に連通され、廃トナーを収容可能にする。また、同時に、押付部材（６２）も図１２に示すように、装置本体（２）の収納空間（G）内に収納される。
【００５７】
本発明に係る画像形成装置（１）は、図１乃至図１９に示すように、トナー回収容器（２４）及びトナー排出口（１７）に対して、規制手段（５１）、規制解除手段（６１）及び開閉手段（Ａ）を適用した場合について説明したが、これに限定されるものでない。
【００５８】
図１及び図２において、画像形成装置（１）は、感光体ドラム（図示しない）にトナーを補給するトナー補給容器（図示しない）を備えている。
このトナー補給容器（トナーコンテナ）は、トナーを収容しており、装置本体（２）の補給空間に取外自在に配置される。トナー補給容器は、補給空間に配置されると、装置本体（２）のトナー供給口（図示しない）に連通されるトナー補給口を有している。また、トナー供給口は、現像ユニットに接続されて、トナー補給容器のトナーを現像ユニットに供給する。現像ユニットは、トナーを感光体ドラムの表面に供給する。
【００５９】
図１乃至図１９に示す開閉手段（Ａ）、規制手段（５１）及び規制解除手段（６１）を、トナー補給容器及びトナー供給口に適用する。
規制手段の弾性梁部材をトナー補給容器に設け、係止爪を装置本体に設ける。規制解除手段の押込部材を弾性梁部材に並設する。また、開閉手段の開閉スライド部材及びコイルバネによって、トナー供給口を開閉自在にする。補給空間の開口は、扉体によって開閉自在にされている。
【００６０】
＜トナー補給容器の取外手順＞
作業者は、装置本体の扉体を開いて、補給空間の開口を開状態にする。この扉体の開き動作に伴って、規制解除手段の押付部材は、コイルバネのバネ力によって補給空間の開口側に移動される。
作業者は、押付部材を持って、コイルバネのバネ力に抗して補給空間側に向けて押し込むことで、規制手段の弾性梁部材をロック爪が係止爪から離間する方向に回転させる。これにより、トナー補給容器の取外規制を解除する。
トナー補給容器の取外規制が解除されると、トナー補給容器はバネ部材のバネ力によって補給空間の開口側に向けて移動される。そして、作業者は、トナー補給容器の取手部を掴んで、補給空間内から取外す。
【００６１】
トナー補給容器が移動されると、開閉手段の開閉スライド部材は、コイルバネのバネ力によって移動されて、トナー供給口を閉状態にする。
【００６２】
＜トナー補給容器の交換手順（取付手順）＞
作業者は、トナー補給容器を補給空間に挿入する。そして、作業者は、扉体を閉じると、この閉じ動作に伴って、トナー補給容器は、バネ部材のバネ力に抗して補給空間の補給位置に向けて押込まれる。
トナー補給容器の押込み動作に伴って、規制手段の弾性梁部材は回転され、ロック爪が係止爪を乗り越える。続いて、弾性梁部材は、直線的な状態に復帰されて、ロック爪は係止爪に係止される。
これにより、トナー補給容器は、補給位置において、補給空間の補給位置から取外ことが規制される。
【００６３】
トナー補給容器の押込み動作に伴って、開閉手段の開閉スライド部材は、コイルバネのバネ力に抗して移動され、トナー供給口を開状態にする。また、規制解除手段の押付部材も補給空間に移動される。
【００６４】
作業者は、扉体を閉じると、トナー補給容器は、補給空間の補給位置に配置される。これにより、トナー補給容器は、補給位置から取外が規制され、更にトナー補給口がトナー供給口に連通され、トナーを現像ユニット（感光体ドラム）に供給可能にする。
【産業上の利用可能性】
【００６５】
本発明は、電子写真方式の複写機、プリンタ、ファクシミリやこれらの機能を併せ持たせた複合機等の画像形成装置に対して好適である。
【符号の説明】
【００６６】
１  画像形成装置
２  装置本体
８  扉体
Ａ  開閉手段
Ｇ  収納空間
Ｋ  回収位置
１７  トナー排出口
１９  開閉スライド部材（開閉部材）
２０  コイルバネ（開閉付勢部材）
２４  トナー回収容器
２５  バネ部材（付勢手段）
２９  取手部
５１  規制手段
５３  弾性梁部材
５４  ロック爪
５５  傾斜面部
５６  係止爪
６１  規制解除手段
６２  押付部材
６３  コイルバネ（付勢部材）
６４  規制解除部
６５  飛出規制部
【図１】
2011257567.tif 000003
【図２】
2011257567.tif 000004
【図３】
2011257567.tif 000005
【図４】
2011257567.tif 000006
【図５】
2011257567.tif 000007
【図６】
2011257567.tif 000008
【図７】
2011257567.tif 000009
【図８】
2011257567.tif 000010
【図９】
2011257567.tif 000011
【図１０】
2011257567.tif 000012
【図１１】
2011257567.tif 000013
【図１２】
2011257567.tif 000014
【図１４】
2011257567.tif 000015
【図１５】
2011257567.tif 000016
【図１６】
2011257567.tif 000017
【図１８】
2011257567.tif 000018
【図１３】
2011257567.tif 000019
【図１７】
2011257567.tif 000020
【図１９】
2011257567.tif 000021